【事件の表示】
　特願２０００−　９７４１８「情報信号記録再生装置および情報信号記録再生方法」拒絶査定不服審判事件〔平成１３年１０月１２日出願公開、特開２００１−２８３５１３〕について、次のとおり審決する。
【結　論】
　本件審判の請求は、成り立たない。
【理　由】
第１　手続の経緯
　本願は、平成１２年３月３１日（国内優先権主張　平成１２年１月２７日）の出願であって、平成２０年２月４日付けの拒絶理由通知に対し、平成２０年３月３１日付けで手続補正書が提出され、平成２０年６月２５日付けの最後の拒絶理由通知に対し、平成２０年８月１日付けの手続補正書が提出され、前記平成２０年８月１日付けの手続補正については、平成２０年１２月１７日付けで補正の却下の決定がなされるとともに、同日付けで拒絶査定がなされ、平成２１年２月１７日付けで拒絶査定不服審判が請求されるとともに、同日付けでの手続補正書が提出されたものである。
　さらに、平成２２年１１月３０日付けで審尋がなされ、平成２２年１２月２２日付けで回答書が提出された。
　
第２　平成２１年２月１７日付けの手続補正についての補正の却下の決定
　
［補正の却下の決定の結論］
　平成２１年２月１７日付けの手続補正を却下する。
　
［理由］
１．補正の内容
　本願は、平成２０年３月３１日付けの手続補正により補正された特許請求の範囲
「【請求項１】
　情報信号記録媒体から少なくとも一つのヘッドによりｎ個（但し、ｎは２以上の整数）の情報信号を時分割で再生し、前記ｎ個の情報信号を前記ヘッドの再生転送レートで一時的にバッファメモリに記憶し、前記バッファメモリの一時的に記憶した前記ｎ個の情報信号を前記ヘッドの再生転送レートより遅い、前記ｎ個のそれぞれの情報信号の転送レートで出力し、
　前記ヘッドからの前記ｎ個の情報信号の再生転送レートと、前記バッファメモリから出力する前記ｎ個の情報信号の各転送レートとの差を前記バッファメモリで吸収し、
　前記ヘッドから前記バッファメモリに転送する前記ｎ個の情報信号の再生転送レート…Ｒｐ、
　前記ｎ個の情報信号を前記バッファメモリから出力する各転送レートの総和…ΣＲｎ＝Ｒａ＋Ｒｂ＋ … ＋Ｒｎ、
　前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ、
　前記ヘッドを一体的に移動する移動体が前記情報信号記録媒体上での現在の位置から次の位置に移動し再生までに要する各時間の総和をΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生することを特徴とする情報信号再生装置。
　　【請求項２】
　それぞれの転送レートで入力したｎ個（但し、ｎは２以上の整数）の情報信号をバッファメモリに一時的に記憶し、
　前記ｎ個の情報信号をそれぞれの転送レートより速い転送レートで前記バッファメモリから読み出して、前記ｎ個の情報信号に対応する情報信号記録媒体上の位置に、少なくとも一つのヘッドにより時分割で記録し、
　前記ヘッドによる前記ｎ個の情報信号への転送レートと、前記バッファメモリに入力した前記ｎ個の情報信号の各転送レートとの差を前記バッファメモリで吸収し、
　前記ヘッドに前記バッファメモリから転送する前記ｎ個の情報信号の転送レート…Ｒｐ、
　前記ｎ個の情報信号を前記バッファメモリに入力する各転送レートの総和…ΣＲｎ＝Ｒａ＋Ｒｂ＋ … ＋Ｒｎ、
　前記ｎ個の情報信号の各記録情報単位量の総和…ΣＹｎ＝Ｙａ＋Ｙｂ＋ … ＋Ｙｎ、
前記ヘッドを一体的に移動する移動体が前記情報信号記録媒体上での現在の位置から次の位置に移動し記録までに要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記バッファメモリから前記ｎ個の情報信号を前記情報信号記録媒体に時分割で記録することを特徴とする情報信号記録装置。
　　【請求項３】
　ｎ個（但し、ｎは２以上の整数）の情報信号のうち少なくとも一つの情報信号を記録し、残りの情報信号を再生するために、前記ｎ個の情報信号を一時的にバッファメモリに記憶し、
　情報信号記録媒体に記録する情報信号と、前記情報信号記録媒体から再生する情報信号とをそれぞれの転送レートでバッファメモリに入出力し、
　前記バッファメモリに入力した情報信号の転送レートより速い転送レートで少なくとも一つのヘッドを用いて前記情報信号記録媒体に記録し、
　再生すべき情報信号の転送レートより速い転送レートで、前記情報信号記録媒体から前記ヘッドにより前記バッファメモリに転送するステップとを時分割して行い、
　前記ヘッドによる前記ｎ個の情報信号への転送レートと、前記バッファメモリに入出力する前記ｎ個の情報信号の転送レートとの差を前記バッファメモリで吸収し、
　前記ヘッドにより前記バッファメモリに対して入出力される前記ｎ個の情報信号の転送レート…Ｒｐ、前記ｎ個の情報信号を前記バッファメモリに入出力する各転送レートの総和…ΣＲｎ＝Ｒａ＋Ｒｂ＋ … ＋Ｒｎ、前記ｎ個の情報信号の各記録再生情報単位量の総和…ΣＹｎ＝Ｙａ＋Ｙｂ＋… ＋Ｙｎ、
　前記ヘッドを一体的に移動する移動体が前記情報信号記録媒体上での現在の位置から次の位置に移動し記録または再生までに要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体に前記ｎ個の情報信号を記録再生することを特徴とする情報信号記録再生装置。
　　【請求項４】
　情報信号記録媒体から少なくとも一つのヘッドによりｎ個（但し、ｎは２以上の整数）の情報信号を時分割で再生し、前記ｎ個の情報信号を前記ヘッドの再生転送レートで一時的にバッファメモリに記憶し、前記バッファメモリの一時的に記憶した前記ｎ個の情報信号を前記ヘッドの再生転送レートより遅い、前記ｎ個のそれぞれの情報信号の転送レートで出力するステップと、
　前記ヘッドからの前記ｎ個の情報信号の再生転送レートと、前記バッファメモリから出力する前記ｎ個の情報信号の各転送レートとの差を前記バッファメモリで吸収するステップと、前記ヘッドから前記バッファメモリに転送する前記ｎ個の情報信号の再生転送レート…Ｒｐ、前記ｎ個の情報信号を前記バッファメモリから出力する各転送レートの総和…ΣＲｎ＝Ｒａ＋Ｒｂ＋ … ＋Ｒｎ、前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ、前記ヘッドを一体的に移動する移動体が前記情報信号記録媒体上での現在の位置から次の位置に移動し再生までに要する各時間の総和をΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生するステップとを有することを特徴とする情報信号再生方法。
　　【請求項５】
　それぞれの転送レートで入力したｎ個（但し、ｎは２以上の整数）の情報信号をバッファメモリに一時的に記憶するステップと、
　前記ｎ個の情報信号をそれぞれの転送レートより速い転送レートで前記バッファメモリから読み出して、前記ｎ個の情報信号に対応する情報信号記録媒体上の位置に、少なくとも一つのヘッドにより時分割で記録するステップと、
　前記ヘッドによる前記ｎ個の情報信号への転送レートと、前記バッファメモリに入力した前記ｎ個の情報信号の各転送レートとの差を前記バッファメモリで吸収するステップと、前記ヘッドに前記バッファメモリから転送する前記ｎ個の情報信号の転送レート…Ｒｐ、前記ｎ個の情報信号を前記バッファメモリに入力する各転送レートの総和…ΣＲｎ＝Ｒａ＋Ｒｂ＋ … ＋Ｒｎ、前記ｎ個の情報信号の各記録情報単位量の総和…ΣＹｎ＝Ｙａ＋Ｙｂ＋ … ＋Ｙｎ、前記ヘッドを一体的に移動する移動体が前記情報信号記録媒体上での現在の位置から次の位置に移動し記録までに要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記バッファメモリから前記ｎ個の情報信号を前記情報信号記録媒体に時分割で記録するステップと、
を有することを特徴とする情報信号記録方法。
　　【請求項６】
　ｎ個（但し、ｎは２以上の整数）の情報信号のうち少なくとも一つの情報信号を記録し、残りの情報信号を再生するために、前記ｎ個の情報信号を一時的にバッファメモリに記憶し、情報信号記録媒体に記録する情報信号と、前記情報信号記録媒体から再生する情報信号とをそれぞれの転送レートでバッファメモリに入出力するステップと、前記バッファメモリに入力した情報信号の転送レートより速い転送レートで少なくとも一つのヘッドを用いて前記情報信号記録媒体に記録するステップと、
　再生すべき情報信号の転送レートより速い転送レートで、前記情報信号記録媒体から前記ヘッドにより前記バッファメモリに転送するステップとを時分割して行うステップと、前記ヘッドによる前記ｎ個の情報信号への転送レートと、前記バッファメモリに入出力する前記ｎ個の情報信号の転送レートとの差を前記バッファメモリで吸収するステップと、前記ヘッドにより前記バッファメモリに対して入出力される前記ｎ個の情報信号の転送レート…Ｒｐ、前記ｎ個の情報信号を前記バッファメモリに入出力する各転送レートの総和…ΣＲｎ＝Ｒａ＋Ｒｂ＋ … ＋Ｒｎ、前記ｎ個の情報信号の各記録再生情報単位量の総和…ΣＹｎ＝Ｙａ＋Ｙｂ＋… ＋Ｙｎ、前記ヘッドを一体的に移動する移動体が前記情報信号記録媒体上での現在の位置から次の位置に移動し記録または再生までに要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体に前記ｎ個の情報信号を記録再生するステップと、を有することを特徴とする情報信号記録再生方法。」
を、
「【請求項１】
　ｎ個（但し、ｎは２以上の整数）の情報信号のうち少なくとも一つの情報信号を記録し、残りの情報信号を再生するために、前記ｎ個の情報信号を一時的にバッファメモリに記憶し、
　情報信号記録媒体に記録する情報信号と、前記情報信号記録媒体から再生する情報信号とをそれぞれの転送レートでバッファメモリに入出力し、
　前記バッファメモリに入力した情報信号の転送レートより速い転送レートで少なくとも一つのヘッドを用いて前記情報信号記録媒体に記録し、
　再生すべき情報信号の転送レートより速い転送レートで、前記情報信号記録媒体から前記ヘッドにより前記バッファメモリに転送するステップとを時分割して行い、
　前記ヘッドによる前記ｎ個の情報信号への転送レートと、前記バッファメモリに入出力する前記ｎ個の情報信号の転送レートとの差を前記バッファメモリで吸収し、
　前記ヘッドにより前記バッファメモリに対して入出力される前記ｎ個の情報信号の転送レート…Ｒｐ、前記ｎ個の情報信号を前記バッファメモリに入出力する各転送レートの総和…ΣＲｎ＝Ｒａ＋Ｒｂ＋ … ＋Ｒｎ、前記ｎ個の情報信号の各記録再生情報単位量の総和…ΣＹｎ＝Ｙａ＋Ｙｂ＋… ＋Ｙｎ、
　前記ヘッドを一体的に移動する移動体が前記情報信号記録媒体上での現在の位置から次の位置に移動し記録または再生までに要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たし、
前記情報信号記録媒体から再生する再生動作よりも前記情報信号記録媒体に記録する記録動作を優先して、
【請求項２】
　ｎ個（但し、ｎは２以上の整数）の情報信号のうち少なくとも一つの情報信号を記録し、残りの情報信号を再生するために、前記ｎ個の情報信号を一時的にバッファメモリに記憶し、情報信号記録媒体に記録する情報信号と、前記情報信号記録媒体から再生する情報信号とをそれぞれの転送レートでバッファメモリに入出力するステップと、前記バッファメモリに入力した情報信号の転送レートより速い転送レートで少なくとも一つのヘッドを用いて前記情報信号記録媒体に記録するステップと、
　再生すべき情報信号の転送レートより速い転送レートで、前記情報信号記録媒体から前記ヘッドにより前記バッファメモリに転送するステップとを時分割して行うステップと、
前記ヘッドによる前記ｎ個の情報信号への転送レートと、前記バッファメモリに入出力する前記ｎ個の情報信号の転送レートとの差を前記バッファメモリで吸収するステップと、
前記ヘッドにより前記バッファメモリに対して入出力される前記ｎ個の情報信号の転送レート…Ｒｐ、前記ｎ個の情報信号を前記バッファメモリに入出力する各転送レートの総和…ΣＲｎ＝Ｒａ＋Ｒｂ＋ … ＋Ｒｎ、前記ｎ個の情報信号の各記録再生情報単位量の総和…ΣＹｎ＝Ｙａ＋Ｙｂ＋… ＋Ｙｎ、前記ヘッドを一体的に移動する移動体が前記情報信号記録媒体上での現在の位置から次の位置に移動し記録または再生までに要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たし、
前記情報信号記録媒体から再生する再生動作よりも前記情報信号記録媒体に記録する記録動作を優先して、
　と補正しようとするものである。
　
２．補正の検討
　本件補正に係る特許請求の範囲についての補正は、本件補正前の請求項１，２，４，５を削除し、請求項３，６に対して「前記情報信号記録媒体から再生する再生動作よりも前記情報信号記録媒体に記録する記録動作を優先して」という構成を付加するものである。
　補正前の請求項３には、「情報信号記録再生装置」に関する発明が記載されていたところ、「ｎ個の情報信号」は、少なくとも一つは記録されるためのもので残りは再生されるためのものであって、転送レートＲｐ、各転送レートの総和ΣＲｎ、記録再生情報単位量の総和ΣＹｎ、及びΣＳｎは、いずれも、前記ｎ個の情報信号について取るものであることからすると、補正前の請求項３に記載された発明は、記録動作と再生動作を峻別して記載したものと解することができず、むしろ、記録動作と再生動作を併せて評価することを特徴的な技術事項に含んでいると解するのが技術的に妥当である。まして、記録動作と再生動作とについて、相互の又は相対的な関連について特定した事項は何ら記載がなかったものである。すると、本件補正において「再生動作よりも」「記録動作を優先して」と、記録動作と再生動作との関連を特定した事項は、補正前の発明を特定する事項を限定したものとすることができないから、平成１８年法律第５５号改正附則第３条第１項によりなお従前の例によるとされる同法による改正前の特許法１７条の２第４項第２号に掲げる事項を目的とするものに該当しない。
　
　仮に、審判請求人の主張に配慮して、本件補正が、再生動作及び記録動作を限定したものと認められるとしても、「優先させる」との特定は、極めて漠然としたものであって、情報信号記録再生装置の、どのような動作を特定したものか不明であるから特許を受けようとする発明が明確であるとすることができないから特許法第３６条第６項第２号に規定する要件を満たしていない。また、請求人が補正の根拠と主張する【０１０９】段落の記載を参照しても、「記録動作を優先」するためにどのような制御がなされているのか不明であるから、特許法第３６条第４項に規定する要件を満たしていない。
　
　以上のとおりであるから、本件補正後の請求項に記載された発明は、平成１８年法律第５５号改正附則第３条第１項によりなお従前の例によるとされる同法による改正前の特許法１７条の２第４項第２号に掲げる事項を目的とするものに該当しない、または、出願の際独立して特許を受けることができたものとすることができないから、平成１８年法律第５５号改正附則第３条第１項によりなお従前の例によるとされる同法による改正前の特許法第１７条の２第５項で準用する同法第１２６条第５項の規定に違反するものであり、同法１５９条第１項で読み替えて準用する同法第５３条第１項の規定により却下されるべきものである。
　
第３　本願発明と同日出願の発明
　
１．本願発明
　上記「第２　平成２１年２月１７日付けの手続補正についての補正の却下の決定」の欄に前述したとおり、平成２１年２月１７日付けの手続補正は却下されたので、本願発明は、平成２０年３月３１日付けの手続補正書の特許請求の範囲に記載されたとおりのものである。
　そして、特許請求の範囲に記載されている請求項４に係る発明（以下、「本願発明」という。）は、次のとおりのものである。
「情報信号記録媒体から少なくとも一つのヘッドによりｎ個（但し、ｎは２以上の整数）の情報信号を時分割で再生し、前記ｎ個の情報信号を前記ヘッドの再生転送レートで一時的にバッファメモリに記憶し、前記バッファメモリの一時的に記憶した前記ｎ個の情報信号を前記ヘッドの再生転送レートより遅い、前記ｎ個のそれぞれの情報信号の転送レートで出力するステップと、
　前記ヘッドからの前記ｎ個の情報信号の再生転送レートと、前記バッファメモリから出力する前記ｎ個の情報信号の各転送レートとの差を前記バッファメモリで吸収するステップと、前記ヘッドから前記バッファメモリに転送する前記ｎ個の情報信号の再生転送レート…Ｒｐ、前記ｎ個の情報信号を前記バッファメモリから出力する各転送レートの総和…ΣＲｎ＝Ｒａ＋Ｒｂ＋ … ＋Ｒｎ、前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ、前記ヘッドを一体的に移動する移動体が前記情報信号記録媒体上での現在の位置から次の位置に移動し再生までに要する各時間の総和をΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生するステップとを有することを特徴とする情報信号再生方法。」
　
２．同日出願の発明
　同日、同一出願人による特願２００２−２６７３８号（特許第３３７９７１２号）の請求項１の発明（以下、「同日出願の発明」という。）は、次のとおりである。
「ｎ個（但し、ｎは２以上の整数）の情報信号をｎ個の位置にそれぞれ記録した情報信号記録媒体を回転するステップと、
　前記ｎ個の情報信号を一時的にバッファメモリに記憶し、且つ、前記バッファメモリから一時的に記憶した前記ｎ個の情報信号をそれぞれの転送レートで出力するステップと、
　前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップと、
　前記ヘッドによる前記ｎ個の情報信号への転送レートと、前記バッファメモリから出力する前記ｎ個の情報信号の各転送レートとの差を前記バッファメモリで吸収するステップと、
　前記ヘッドから前記バッファメモリに転送する前記ｎ個の情報信号の転送レート…Ｒｐ、
　前記ｎ個の情報信号を前記バッファメモリから出力する各転送レートの総和…ΣＲｎ＝Ｒａ＋Ｒｂ＋ … ＋Ｒｎ
　前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ
　前記ヘッドが前記情報信号記録媒体上での現在の位置から次の位置に移動に要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生するステップとを有することを特徴とする情報信号再生方法。」
　
３．対比
　本願発明の「情報信号記録媒体から少なくとも一つのヘッドによりｎ個（但し、ｎは２以上の整数）の情報信号を時分割で再生し、前記ｎ個の情報信号を前記ヘッドの再生転送レートで一時的にバッファメモリに記憶し、前記バッファメモリの一時的に記憶した前記ｎ個の情報信号を前記ヘッドの再生転送レートより遅い、前記ｎ個のそれぞれの情報信号の転送レートで出力するステップ」は、同日出願の発明の「前記ｎ個の情報信号を一時的にバッファメモリに記憶し、且つ、前記バッファメモリから一時的に記憶した前記ｎ個の情報信号をそれぞれの転送レートで出力するステップ」「前記情報信号記録媒体から一つのヘッドにより前記ｎ個の情報信号を時分割で再生して、前記ｎ個の情報信号を前記バッファメモリからの出力時よりも速い一定の転送レートで前記バッファメモリに時分割で転送するステップ」に相当する。
　本願発明の「前記ヘッドからの前記ｎ個の情報信号の再生転送レートと、前記バッファメモリから出力する前記ｎ個の情報信号の各転送レートとの差を前記バッファメモリで吸収するステップ」は、同日出願の発明の「前記ヘッドによる前記ｎ個の情報信号への転送レートと、前記バッファメモリから出力する前記ｎ個の情報信号の各転送レートとの差を前記バッファメモリで吸収するステップ」に相当する。
　本願発明の「前記ヘッドから前記バッファメモリに転送する前記ｎ個の情報信号の再生転送レート…Ｒｐ、前記ｎ個の情報信号を前記バッファメモリから出力する各転送レートの総和…ΣＲｎ＝Ｒａ＋Ｒｂ＋ … ＋Ｒｎ、前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ、前記ヘッドを一体的に移動する移動体が前記情報信号記録媒体上での現在の位置から次の位置に移動し再生までに要する各時間の総和をΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生するステップ」は、同日出願の発明の「前記ヘッドから前記バッファメモリに転送する前記ｎ個の情報信号の転送レート…Ｒｐ、
　前記ｎ個の情報信号を前記バッファメモリから出力する各転送レートの総和…ΣＲｎ＝Ｒａ＋Ｒｂ＋ … ＋Ｒｎ
　前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ
　前記ヘッドが前記情報信号記録媒体上での現在の位置から次の位置に移動に要する各時間の総和…ΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生するステップ」に相当する。
　本願発明の「情報信号再生方法」は、同日出願の発明の「情報信号再生方法」に相当する。
　
４．一致点、相違点
　従って、両者は、
「情報信号記録媒体から少なくとも一つのヘッドによりｎ個（但し、ｎは２以上の整数）の情報信号を時分割で再生し、前記ｎ個の情報信号を前記ヘッドの再生転送レートで一時的にバッファメモリに記憶し、前記バッファメモリの一時的に記憶した前記ｎ個の情報信号を前記ヘッドの再生転送レートより遅い、前記ｎ個のそれぞれの情報信号の転送レートで出力するステップと、
　前記ヘッドからの前記ｎ個の情報信号の再生転送レートと、前記バッファメモリから出力する前記ｎ個の情報信号の各転送レートとの差を前記バッファメモリで吸収するステップと、前記ヘッドから前記バッファメモリに転送する前記ｎ個の情報信号の再生転送レート…Ｒｐ、前記ｎ個の情報信号を前記バッファメモリから出力する各転送レートの総和…ΣＲｎ＝Ｒａ＋Ｒｂ＋ … ＋Ｒｎ、前記ｎ個の情報信号の各再生情報単位量を前記ヘッドから前記バッファメモリに転送する情報単位量の総和…ΣＹｎ＝Ｙａ＋Ｙｂ＋ … ＋Ｙｎ、前記ヘッドを一体的に移動する移動体が前記情報信号記録媒体上での現在の位置から次の位置に移動し再生までに要する各時間の総和をΣＳｎとし、
ΣＹｎ≧Ｒｐ×ΣＲｎ×ΣＳｎ／（Ｒｐ−ΣＲｎ）
Ｙａ≧Ｒｐ×Ｒａ×ΣＳｎ／（Ｒｐ−ΣＲｎ）
Ｙｂ≧Ｒｐ×Ｒｂ×ΣＳｎ／（Ｒｐ−ΣＲｎ）
…
Ｙｎ≧Ｒｐ×Ｒｎ×ΣＳｎ／（Ｒｐ−ΣＲｎ）
の関係式を満たして前記情報信号記録媒体から前記ｎ個の情報信号を時分割で再生するステップとを有する情報信号再生方法。」である点で一致し、
　本願発明では、特に、「ｎ個（但し、ｎは２以上の整数）の情報信号をｎ個の位置にそれぞれ記録した情報信号記録媒体を回転するステップ」については特定されていないのに対して、同日出願については、「ｎ個（但し、ｎは２以上の整数）の情報信号をｎ個の位置にそれぞれ記録した情報信号記録媒体を回転するステップ」が特定されている点で一応相違している。
　
５．判断
　相違点について検討する。
　本願発明においては、ヘッドによって記録媒体を読み取っており、ヘッドによって読み取りを行う媒体として、ｎ個（但し、ｎは２以上の整数）の情報信号をｎ個の位置にそれぞれ記録した情報信号記録媒体を使用し、これを回転することは、例示するまでもなく周知事項であり、本願発明においてもこのような媒体を使用していることは自明であるから、当該相違点は、実質的な相違点とはいえない。
　
第４　むすび
　
　以上のとおり、平成２０年３月３１日付けの手続補正書に記載された請求項４に係る発明は、同一出願人による同日出願の請求項１に係る発明と、実質的に同一であるから、特許法第３９条第２項の規定により特許を受けることができない。したがって、本願は、他の請求項について論及するまでもなく拒絶すべきものである。
　よって、結論のとおり審決する。